(57)【要約】【課題】  どのようなパソコンでもインストールされている市販の一般的な閲覧ソフトのウェブブラウザーを備えたパソコンで修学旅行生の現在位置を容易に確認でき、特に、遠く離れている保護者も生徒の位置を容易に確認できること。【解決手段】  管理サーバー１が所定の時刻毎に位置情報サーバー２から修学旅行生が持っている各ＰＨＳの位置情報を得る。管理サーバー１は表示部にて各ＰＨＳのアイコンと検索時刻を表示させ、アイコンを中心としてエリアの画像ファイルを作成する。各ＰＨＳの画像ファイルを管理サーバー１からＷｅｂサーバー５へファイル転送し、Ｗｅｂサーバー５側は各ＰＨＳの画像ファイルを各学校毎に設けたフォルダに保存する。各学校の保護者は家にある一般的なパソコンである保護者端末６からネットワーク４を介してＷｅｂサーバー５のフォルダにアクセスする。これにより最新の生徒の位置情報を確認することができる。【選択図】        図１
2005315929.tif 000002
【特許請求の範囲】
【請求項１】
修学旅行生のグループ毎に持っているＰＨＳの位置情報を取得する位置情報サーバー（２）と、この位置情報サーバー（２）から前記ＰＨＳの位置情報をダウンロードして各ＰＨＳの位置情報を取得する管理サーバー（１）とを備え、
前記管理サーバー（１）は、
前記各ＰＨＳのダウンロードした位置情報を表示部（１５）の画面上に表示される地図上の座標に変換する表示位置座標変換処理部（１３）と、
前記表示部（１５）の画面の地図上に各ＰＨＳに対応したアイコンと位置情報の取得時刻とをそれぞれ表示させる画面表示制御部（１４）と、
前記表示部（１５）の地図上に表示されているアイコンと取得時刻とを地図ごと画像ファイルとして作成する画像ファイル作成部（１６）と、
前記画像ファイル作成部（１６）にて作成した画像ファイルを保存しておく記憶部（２５）と、
前記記憶部（２５）にて保存した画像ファイルを該画像ファイルとリンクさせるＨＴＭＬファイルと共に、インターネットなどのネットワーク（４）と接続されていて一般的なブラウザソフトで閲覧可能なウェブサーバー（５）にファイル転送するファイル転送部（１８）と
を備えていることを特徴とする位置情報表示システム。
【請求項２】
前記管理サーバー（１）は所定の時刻毎に位置情報サーバー（２）から位置情報を取得し、前記ウェブサーバー（５）へ所定の時刻毎に画像ファイル等を転送していることを特徴とする請求項１に記載の位置情報表示システム。
【請求項３】
前記ウェブサーバー（５）の記憶装置（３３）には、異なる学校毎のフォルダが設けられていて該フォルダに各学校に対応させてＨＴＭＬファイルと画像ファイルとを保存していることを特徴とする請求項１または請求項２に記載の位置情報表示システム。
【請求項４】
修学旅行生の保護者の家庭内には一般的なブラウザソフトがインストールされている保護者端末（６）を備えていて、前記保護者には子供の学校に対応したウェブサーバー（５）のフォルダにアクセスするホームページアドレスが予め教えられており、前記保護者端末（６）から前記ホームページアドレスでもって前記ウェブサーバー（５）の記憶装置（３３）のフォルダにネットワーク（４）を介して直接アクセス可能としていることを特徴とする請求項３に記載の位置情報表示システム。
【請求項５】
修学旅行生を引率する教師は一般的なブラウザソフトがインストールされている教師端末（７）を備えていて、前記教師の学校に対応したウェブサーバー（５）のフォルダにアクセスするホームページアドレスが予め教えられており、前記教師端末（７）から前記ホームページアドレスでもって前記ウェブサーバー（５）の記憶装置（３３）のフォルダにネットワーク（４）を介して直接アクセス可能としていることを特徴とする請求項３に記載の位置情報表示システム。
【請求項６】
修学旅行生を引率する教師であって街中を出歩く教師は一般的なブラウザソフトがインストールされている携帯情報端末（８）を有し、前記教師の学校に対応したウェブサーバー（５）のフォルダにアクセスするホームページアドレスが予め教えられており、前記携帯情報端末（８）から前記ホームページアドレスでもって前記ウェブサーバー（５）の記憶装置（３３）のフォルダにネットワーク（４）を介して直接アクセス可能としていることを特徴とする請求項３に記載の位置情報表示システム。
【発明の詳細な説明】
【技術分野】
【０００１】
本発明は、ＰＨＳなどの携帯電話を用いてデジタル無線電話サービスを利用して該携帯電話の位置情報を取得し、この取得した位置情報を元に携帯電話を持っている修学旅行生の現在位置をリアルタイム的にコンピュータの電子地図上に表示させるようにした位置情報表示システムに関するものである。
【背景技術】
【０００２】
ＰＨＳ（ Personal Handy-phone System )  は、周知のようにデジタル無線電話サービスを利用することができ、これによりデータ通信を利用可能としている。このデータ通信を利用した一例としては、端末としてのＰＨＳを持って移動し、このＰＨＳを呼び出すことで、当該ＰＨＳを持っている利用者の位置をコンピュータの画面の電子地図上に表示させることができる。
【０００３】
この利用例として、例えば、修学旅行の生徒にＰＨＳを持たせて現在位置をコンピュータの画面に表示させて、引率の教師が生徒の状況を把握するようにしている。すなわち、近年の修学旅行での東京や京都などにおいては、５〜６名くらいでグループを構成し、各グループ毎に１日の行動プランを立てて、このプランに沿って例えば京都市内を行動するようになっている。
【０００４】
各グループで行動する場合に、ホテルで待機中の教師が行動中の生徒の居場所を確認したり、緊急時の連絡用に上述のＰＨＳを各グループ毎に１台持たせている。これはＰＨＳを利用した位置情報検索システムと呼ばれているものであり、この位置情報検索システムは、一般の携帯電話とは異なり、コスト的な面で低出力型の無線基地局（アンテナ）が多数設置されており、この多数設置されている無線基地局の位置を利用して位置情報を取得するようにしたものである。
この位置情報検索システムを用いて修学旅行生の位置情報を表示させるようにしたものとして、特許文献１が挙げられる。なお、この特許文献１は本出願人にかかるものである。
【０００５】
【特許文献１】特開２０００−１２１７６３号公報（特許第３００４０１０号）
【０００６】
図１７は、上記位置情報検索システムの概略ブロック構成図を示し、ＰＨＳの無線基地局９２は通信エリアが１０〜５００ｍ程度と非常に狭く、そのため、電柱、ビルの屋上、公衆電話ボックス、地下街や地下鉄のホームの天井、デパートの天井などに無数に設置されている。そして、各無線基地局９２はＩＳＤＮ等のネットワーク９３と接続されていて、データ通信が可能となっている。
また、ＰＨＳ９１は、常時あるいは、所定の時間毎に位置情報（位置登録信号）を発信しており、パーソナル通信サービス（制御用データベース９４）側が無線基地局９２を介してＰＨＳ９１に発呼し、これにより当該ＰＨＳ９１の位置情報が近くの無線基地局９２で受信される。そして、当該ＰＨＳ９１から位置情報を受信した無線基地局９２はネットワーク９３を介してパーソナル通信サービスの制御用データベース９４に送り、この制御用データベース９４は当該ＰＨＳ９１の位置情報を記憶し、管理している。
【０００７】
つまり、制御用データベース９４は、被検索側のＰＨＳ９１から位置情報を受信した無線基地局９２の位置を位置情報として記憶しているものである。修学旅行生を複数の班に分けたグループ毎にそれぞれＰＨＳ９１を持たせており、ホテル等で待機している教師がパソコン９５にデータカード９６を介して検索側のＰＨＳ９７を接続し、上述の位置情報検索システムにより当該パソコン９５にて任意のＰＨＳ９１の位置情報を所定の時間毎、あるいは所定の設定時刻毎に取得するようにしている。
【０００８】
パソコン９５にて取得した各ＰＨＳ９１の位置情報は、画面上に表示されるようになっており、各グループの現在位置をパソコン９５の画面上で直ぐに確認できるようになっている。
【０００９】
ここで、パソコン９５にインストールされている位置情報検索システム用のソフトウエアは汎用性がなく、特殊な専用のソフトウエアである。特に、１年に一度引率するかしないかといった教師が操作するために、当該ソフトウエアの操作に不慣れな上に検索の実行が面倒であり、スムーズに修学旅行生のＰＨＳ９１の検索ができないという問題があった。
【００１０】
このようにグループ毎で行動している修学旅行生の現在位置を位置情報検索システムにより確認できるという利点を有している。しかしながら、この確認は、修学旅行生の行動の企画を行なう修学旅行の企画会社が専用のソフトウエアをインストールしたパソコン９５を教師に貸与しているものであり、この貸与されたパソコン９５にて修学旅行生の現在の位置情報を確認しているものである。
そのため、修学旅行生の地元の学校側や、修学旅行生の保護者（父兄）が生徒（子供）の現在の位置情報を入手しようとしても不可能であり、確認作業を行なって待機している教師に電話連絡しかないという問題もあった。
【発明の開示】
【発明が解決しようとする課題】
【００１１】
本発明は上述の問題点に鑑みて提供したものであって、少なくとも以下の目的を持った位置情報表示システムを提供するものである。
（１）どのようなパソコンでもインストールされている市販の一般的な閲覧ソフトのウェブブラウザーを備えたパソコンで修学旅行生の現在位置を容易に確認できるようにすること。
（２）特に、修学旅行中の修学旅行生とは遠く離れている保護者も家庭内にある一般のパソコンでも、生徒（子供）の位置を容易に確認できること。
（３）ホテル等で待機している教師に不慣れな操作を要求せずに、通常のウェブブラウザーの簡単な操作にて修学旅行生の現在位置を簡易に確認できるようにすること。
（４）持ち運びが可能なパソコンの携帯端末でも修学旅行生の現在位置の確認が容易にできること。
【課題を解決するための手段】
【００１２】
そこで、本発明の請求項１記載の位置情報表示システムでは、修学旅行生のグループ毎に持っているＰＨＳの位置情報を取得する位置情報サーバー２と、この位置情報サーバー２から前記ＰＨＳの位置情報をダウンロードして各ＰＨＳの位置情報を取得する管理サーバー１とを備え、
前記管理サーバー１は、
前記各ＰＨＳのダウンロードした位置情報を表示部１５の画面上に表示される地図上の座標に変換する表示位置座標変換処理部１３と、
前記表示部１５の画面の地図上に各ＰＨＳに対応したアイコンと位置情報の取得時刻とをそれぞれ表示させる画面表示制御部１４と、
前記表示部１５の地図上に表示されているアイコンと取得時刻とを地図ごと画像ファイルとして作成する画像ファイル作成部１６と、
前記画像ファイル作成部１６にて作成した画像ファイルを保存しておく記憶部２５と、
前記記憶部２５にて保存した画像ファイルを該画像ファイルとリンクさせるＨＴＭＬファイルと共に、インターネットなどのネットワーク４と接続されていて一般的なブラウザソフトで閲覧可能なウェブサーバー５にファイル転送するファイル転送部１８とを備えていることを特徴としている。
【００１３】
請求項２に記載の位置情報表示システムでは、前記管理サーバー１は所定の時刻毎に位置情報サーバー２から位置情報を取得し、前記ウェブサーバー５へ所定の時刻毎に画像ファイル等を転送していることを特徴としている。
【００１４】
請求項３に記載の位置情報表示システムでは、前記ウェブサーバー５の記憶装置３３には、異なる学校毎のフォルダが設けられていて該フォルダに各学校に対応させてＨＴＭＬファイルと画像ファイルとを保存していることを特徴としている。
【００１５】
請求項４に記載の位置情報表示システムでは、修学旅行生の保護者の家庭内には一般的なブラウザソフトがインストールされている保護者端末６を備えていて、前記保護者には子供の学校に対応したウェブサーバー５のフォルダにアクセスするホームページアドレスが予め教えられており、前記保護者端末６から前記ホームページアドレスでもって前記ウェブサーバー５の記憶装置３３のフォルダにネットワーク４を介して直接アクセス可能としていることを特徴としている。
【００１６】
請求項５に記載の位置情報表示システムでは、修学旅行生を引率する教師は一般的なブラウザソフトがインストールされている教師端末７を備えていて、前記教師の学校に対応したウェブサーバー５のフォルダにアクセスするホームページアドレスが予め教えられており、前記教師端末７から前記ホームページアドレスでもって前記ウェブサーバー５の記憶装置３３のフォルダにネットワーク４を介して直接アクセス可能としていることを特徴としている。
【００１７】
請求項６に記載の位置情報表示システムでは、修学旅行生を引率する教師であって街中を出歩く教師は一般的なブラウザソフトがインストールされている携帯情報端末８を有し、前記教師の学校に対応したウェブサーバー５のフォルダにアクセスするホームページアドレスが予め教えられており、前記携帯情報端末８から前記ホームページアドレスでもって前記ウェブサーバー５の記憶装置３３のフォルダにネットワーク４を介して直接アクセス可能としていることを特徴としている。
【発明の効果】
【００１８】
本発明の請求項１に記載の位置情報表示システムによれば、一般的なブラウザソフトを備えたパソコンであれば、ウェブサーバー５にアクセスして修学旅行生の位置とその時刻を画像ファイルにて確認することができる。特に、従来では修学旅行生（ＰＨＳ）の位置情報を取得するのに、特殊な専用のソフトウエアを用いていたため、該ソフトウエアの操作に不慣れな上に検索が面倒であったのが、普通の一般的なパソコンさえあれば、ブラウザソフトの操作は慣れている人、つまり教師や保護者等は修学旅行生の位置を容易に確認することができる。
【００１９】
請求項２に記載の位置情報表示システムによれば、管理サーバー１は所定の時刻毎に位置情報サーバー２から位置情報を取得し、前記ウェブサーバー５へ所定の時刻毎に画像ファイル等を転送しているので、ホテル等で待機している教師や修学旅行生とは遠く離れている地元の保護者もウェブサーバー５へアクセスすることで、時々刻々とリアルタイム的に修学旅行生の位置を容易に確認することができる。
【００２０】
請求項３に記載の位置情報表示システムによれば、ウェブサーバー５の記憶装置３３には、異なる学校毎のフォルダが設けられていて該フォルダに各学校に対応させてＨＴＭＬファイルと画像ファイルとを保存しているので、教師や保護者がウェブサーバー５をアクセスする場合でも、混乱することなく修学旅行生の位置と時刻を確認することができる。
【００２１】
請求項４に記載の位置情報表示システムによれば、保護者が保護者端末６にてウェブサーバー５のフォルダに直接アクセスすることで、修学旅行中の修学旅行生とは遠く離れていても、いちいち学校に問い合わせをすることなく、自分で生徒（自分の子供）の位置を容易に確認することができる。
【００２２】
請求項５に記載の位置情報表示システムによれば、ホテル等で待機している教師は教師端末７でもってウェブサーバー５のフォルダに直接アクセスすることで、各グループの生徒の位置を時々刻々とリアルタイム的に確認することができる。また、従来面倒な操作をしなければならなかったのと比べて、一般的なブラウザソフトの簡単な操作のためスムーズに閲覧操作ができ、容易に生徒の位置を確認することができる。
【００２３】
請求項６に記載の位置情報表示システムによれば、街中を出歩く教師でも携帯情報端末８でもってウェブサーバー５のフォルダに直接アクセスすることで、街中においても各グループの生徒の位置を時々刻々とリアルタイム的に確認することができる。また、従来面倒な操作をしなければならなかったのと比べて、一般的なブラウザソフトの簡単な操作のためスムーズに閲覧操作ができ、容易に生徒の位置を確認することができる。
【発明を実施するための最良の形態】
【００２４】
以下、本発明の実施の形態を図面を参照して詳細に説明する。図１は本発明の位置情報表示システムのブロック構成図を示し、修学旅行の企画を行なう企画会社にコンピュータからなる管理サーバー１が設置されている。また、図１７の制御用データベース９４と同様な構成の位置情報サーバー２とはＩＳＤＮ( Integrated Services Digital Network ) 等の電話回線３を介して前記管理サーバー１が接続されている。
【００２５】
前記位置情報サーバー２は、ＮＴＴが提供している位置情報サービスであり、従来例で説明したようにＰＨＳの位置情報を常時取得して記憶、管理しており、管理サーバー１が位置情報サーバー２にダイヤルアップ接続し、それぞれのＰＨＳの位置情報を文字列でダウンロードするようになっている。
【００２６】
管理サーバー１はインターネットなどのネットワーク４と接続しており、このネットワーク４と接続されているウェブサーバー（Ｗｅｂサーバー）５に前記位置情報サーバー２から取得して処理した画像ファイル等を管理サーバー１からファイル転送（ＦＴＰ操作）するようにしている。
【００２７】
管理サーバー１から転送した修学旅行生（ＰＨＳ）の画像ファイル等の位置情報は、Ｗｅｂサーバー５に保存され、該Ｗｅｂサーバー５のＵＲＬ( Uniform Resource Locator )のアドレスを知っておれば、一般的なインターネット環境（マイクロソフト社の「 Internet Explorer  」や、アップルコンピュータ社の「 Netscape 」などの閲覧ソフト）を備えたどのようなパソコンでもアクセス可能となっている。
【００２８】
これらのパソコンは、一般の家庭に普及しており、このパソコンを便宜上「保護者端末６」、「教師端末７」と称する。ところで、例えば、京都に来ている修学旅行生の学校は１校の場合はもちろん、複数の学校が来ている場合もある。そこで、例えば、Ａ学校の修学旅行生の保護者が有する端末（パソコン）を、保護者端末Ａ６１〜Ａ６Ｎとし、Ｂ学校の修学旅行生の保護者が有する端末（パソコン）を、保護者端末Ｂ６１〜Ｂ６Ｎとし、Ｎ学校の修学旅行生の保護者が有する端末（パソコン）を、保護者端末Ｎ６１〜Ｎ６Ｎと番号を付す。
【００２９】
教師端末７は、ホテルで待機している各学校の教師が持っているパソコンであり、教師自身のパソコン（ノート型パソコン）、あるいは修学旅行の企画会社が貸与したパソコンである。もちろん、この教師端末７も一般的なパソコンであり、ブラウザソフトにてネットワーク４を介してＷｅｂサーバー５にアクセス可能となっている。
また、市中を出歩く教師には、ブラウザソフトがインストールされてブラウザ可能な携帯情報端末８（ＰＤＡ：Personal Digital Assistant  例えば、シャープ社製の「ザウルス（商品名）」を持たせるようにしておき、教師端末７や保護者端末６と同じ情報（修学旅行生（ＰＨＳ）の位置情報）が得られるようにしている。
【００３０】
本発明は、図１に示すように、位置情報サーバー２から取得した修学旅行生（ＰＨＳ）の位置情報を管理サーバー１にて一般的なブラウザソフトにて閲覧可能なように変換処理し、該変換処理した画像ファイルをＷｅｂサーバー５にアップロード（転送）し、このＷｅｂサーバー５にアクセスすることで、一般的なパソコンである保護者端末６、教師端末７、携帯情報端末８から修学旅行生の現在位置を時々刻々とリアルタイム的に画像にて確認できるようになっている。
【００３１】
図２は、コンピュータ構成の管理サーバー１のブロック図を示し、位置情報サーバー２側との入出力インターフェース１１と、この入出力インターフェース１１を介して位置情報サーバー２から各ＰＨＳの位置情報を取得する位置情報取得部１２と、この位置情報取得部１２にて取得した文字列の位置情報データから画面上の座標データ（経度データと緯度データ）に変換処理する表示位置座標変換処理部１３と、予めインストールされている電子地図を画面に表示させたり、表示位置座標変換処理部１３からの座標データに基づいて修学旅行生のアイコンや検索時の時刻をディスプレイの表示部１５に表示させるための画面表示制御部１４が設けられている。
【００３２】
また、前記表示部１５にて地図上に表示されている画像からＰＨＳに対応したアイコンを中心とした付近のエリアを一定の矩形範囲で切り取って、ＪＰＥＧ、またはビットマップなどの画像ファイルを作成する画像ファイル作成部１６と、この画像ファイル作成部１６を操作して前記画像ファイルを作成すべくキーボード、マウスなどからなる画像ファイル操作部１７を備えている。
【００３３】
さらに、管理サーバー１には、位置情報の更新時刻や、他の文字を記述用のＨＴＭＬ（ Hypertext Markup Language )ファイルを作成するためのＨＴＭＬファイル作成部２２と、このＨＴＭＬファイル作成部２２に実際に文字の入力操作を行なうためにキーボード、マウス等からなるＨＴＭＬファイル作成操作部２３とが設けられている。
また、時間データ、時刻データを演算処理する時計機能部２１と、管理サーバー１の操作者が操作して位置情報サーバー２に対して位置情報を取得するための位置情報検索用操作部２０と、修学旅行生の現在位置の画像ファイル、ＨＴＭＬファイルをネットワーク４を介してＷｅｂサーバー５へアップロード（転送）するファイル転送部１８と、このファイル転送部１８を駆動してＷｅｂサーバー５へ画像ファイル等を転送させるためのファイル転送操作部１９とが管理サーバー１に設けられている。
【００３４】
さらに、本発明の位置情報表示システムを実行させるためのプログラムを格納しておいたり、画像ファイル作成部１６で作成された画像ファイルやＨＴＭＬファイル作成部２２で作成されたＨＴＭＬファイルを保存しておくハードディスクからなる記憶部２５と、この記憶部２５に格納されているプログラムの手順により管理サーバー１全体の制御を行なうＣＰＵからなる主制御部２４が管理サーバー１に設けられている。
【００３５】
次に、管理サーバー１の制御動作について説明する。管理サーバー１側では、操作者が「９：００→９：３０→１０：００→１０：３０・・・１５：００→１５：３０・・・」のように定期的に班分けされた各グループが持っているＰＨＳ（修学旅行生）の場所を検索する。
先ず、図３のステップＳ１で操作者が位置情報検索用操作部２０を操作してダイヤルアップ接続を行ない、管理サーバー１と位置情報サーバー２とが接続されると、管理サーバー１側から位置情報サーバー２に対して各ＰＨＳの位置情報を要求する（ステップＳ２参照）。管理サーバー１側では各ＰＨＳの電話番号を記憶させておき、これらの電話番号等のデータを位置情報要求信号と共に位置情報サーバー２へ送信する。
【００３６】
なお、位置情報サーバー２における各ＰＨＳの位置情報の取得方法は周知であるので、この説明は省略する。位置情報サーバー２側では、これらの位置情報要求信号に基づいて各ＰＨＳの位置情報を取得し、取得した位置情報データを文字列として管理サーバー１がダウンロードする（ステップＳ３参照）。
管理サーバー１側では、入出力インターフェース１１を介して位置情報取得部１２が位置情報サーバー２からの位置情報データを取得する（ステップＳ４参照）。ここで、修学旅行の学校がＡ学校のみ、あるいはＢ学校、Ｃ学校・・・等複数の学校の場合であっても位置情報サーバー２がまとめて位置情報の検索を行なう。
【００３７】
なお、上記の例では管理サーバー１の操作者が所定の時刻に位置情報サーバー２へダイヤルアップ接続して位置情報をダウンロードしているが、時計機能部２１の時計機能を利用して、管理サーバー１が予め設定した時刻毎に位置情報サーバー２へダイヤルアップ接続して位置情報を自動的にダウンロードするようにしても良い。
【００３８】
取得した各ＰＨＳの位置情報データは、一旦記憶部２５に保存し、主制御部２４は表示位置座標変換処理部１３を制御して各ＰＨＳの文字列からなる位置情報データを表示部１５に表示するために座標変換処理をそれぞれ行なう（ステップＳ５参照）。
次に、画像ファイル操作部１７にて画面表示制御部１４を制御して各ＰＨＳの位置を表示部１５の画面上に表示させる。各ＰＨＳの位置がアイコンにて表示されるようになっているが、各学校別にアイコンを表示させるようにしている。各ＰＨＳは、Ａ学校、Ｂ学校、Ｃ学校・・・を識別するために、携帯電話番号、予め付与した整理番号等にて識別可能としており、例えば、Ａ学校のみの画像ファイルを作成する場合には、他のＢ学校、Ｃ学校・・・等は表示部１５で非表示としている。この識別制御は、画像ファイル作成操作部１７を操作することで、画面表示制御部１４がＡ学校以外の各ＰＨＳのアイコンを非表示となるように制御している。
【００３９】
次に、画像ファイルを作成する場合について説明する。画像ファイル作成操作部１７を介して画面表示制御部１４を制御することで、図３のステップＳ６及び図５に示すように、例えばＡ学校の各ＰＨＳのアイコンが画面の地図上にそれぞれ表示される。ここでは、Ａ学校のグループ数が１０（１班〜１０班）とし、各ＰＨＳの現在位置（検索時の位置）が検索時刻と共に表示され、例えば、１班のグループは、１３：２５に銀閣寺の近くにいることが表示されている。
【００４０】
次に、各ＰＨＳ（修学旅行生）の位置情報を示す画像ファイルを作成する場合、図４のステップＳ７及び図６に示すように、例えば、１班の画像ファイルを作成する場合、画像ファイル作成操作部１７にて操作することで、画像ファイル作成部１６が該１班のＰＨＳのアイコンを中心としてその付近のエリアをある一定の矩形範囲イで切り取り、ＪＰＥＧ、あるいはビットマップなどの画像ファイルを作成する。
同様にして２班の画像ファイルを作成する。図７に示すように、御所の近辺に表示されているアイコンを含む付近のエリアをある一定の矩形範囲ロで切り取り、ＪＰＥＧ、あるいはビットマップなどの画像ファイルを作成する。なお、この画像ファイルを作成するソフトウエアとしては、例えば、フリーソフトの「画面ライター」を用いている。
【００４１】
このようにして１班から１０班までそれぞれ画像ファイルを作成していき、連番、例えば、「img001.jpg、img002.jpg、・・・・」のように名前を付けて記憶部２５に保存する。Ｂ学校、Ｃ学校・・・の場合も同様にして画像ファイルを作成して記憶部２５に保存する（ステップＳ８参照）。なお、各ＰＨＳの全体が表示されている図５の全体も画像ファイルにて作成し、該画像ファイルを上記と同様に記憶部２５に保存しておく。
【００４２】
図８は記憶部２５のメモリ構成を示しており、各学校に対応したデータファイルＤＦ１、データファイルＤＦ２、・・・と設けておき、例えば、データファイルＤＦ１はＡ学校に対応させ、データファイルＤＦ２はＢ学校に対応させておく。そして、データファイルＤＦ１にはＡ学校の各ＰＨＳの画像ファイルを連番させた状態で記憶させている。また、データファイルＤＦ２にはＢ学校の各ＰＨＳの画像ファイルを連番させた状態で記憶させている。
【００４３】
全ての学校の位置情報の画像ファイルを記憶部２５に保存した後に、ＨＴＭＬファイル作成操作部２３を操作してＨＴＭＬファイル作成部２２にて更新時刻をＨＴＭＬファイルで作成し、このＨＴＭＬファイルと前記各ＰＨＳの画像ファイルをまとめてＷｅｂサーバー５へファイル転送を行なう（ステップＳ９参照）。
ステップＳ１０に示すように、Ｗｅｂサーバー５側ではＡ学校、Ｂ学校、Ｃ学校・・・専用に設けた画像収納フォルダにＨＴＭＬファイルと画像ファイルとをそれぞれ保存する。なお、このフォルダの構成については後述する。
【００４４】
次に、ステップＳ１１に示すように、次回の所定の時刻に位置情報サーバー２から位置情報データをダウンロードして上記と同様に各ＰＨＳの画像ファイルを作成する場合には、ステップＳ１に戻り（ステップＳ１２参照）、位置情報データをダウンロードしない場合は終了する。
修学旅行生は、例えば、朝９：００に出発して、夕方１６：３０にホテルに戻るという行動の場合には、位置情報データの取得は、１６：３０で終了しても良いが、念のため１７：３０まで位置情報を検索してから終了するようにしても良い。なお、生徒が持っているＰＨＳから電話連絡をもらったり、あるいは、ＰＨＳの位置情報が取れなくなる（ＰＨＳの電源が切られる）などを境に位置情報データの取得を終了するようにしても良い。
【００４５】
図９はＷｅｂサーバー５のブロック図を示し、コンピュータ構成の一般的なＷｅｂサーバー５であり、周知のように入出力インターフェース３１、制御装置３２、記憶装置３３等で構成されている。
図１０はＷｅｂサーバー５の記憶装置３３の階層構造を示し、メインフォルダの下層に各学校（Ａ学校、Ｂ学校・・・Ｎ学校）に対応させたサブフォルダを設けており、各サブフォルダにはそれぞれアドレス（例えば、kou1、kou2、kou3・・・kouN) を付与している。これらの各サブフォルダに管理サーバー１から転送されたＨＴＭＬファイル（ main.html) と複数の画像ファイル ( img001.jpg ・・・) が保存されている。
【００４６】
図１１は記憶装置３３の中のＡ学校のサブフォルダのメモリ構成を示し、ＨＴＭＬファイルにリンクさせた各ＰＨＳの画像ファイル（ img001.jpg 、img002.jpg、img003.jpg・・・imgN.jpg) が保存されている。他のＢ学校等に対応させたサブフォルダの内部のメモリ構成も同様である。
【００４７】
また、管理サーバー１は所定の時刻毎に位置情報サーバー２から各ＰＨＳの位置情報をダウンロードして、画像ファイルを作成してＷｅｂサーバー５へファイル転送しているが、最新の画像ファイルのデータをＷｅｂサーバー５内の各サブフォルダを更新していく。それにより、常に最新の生徒（ＰＨＳ）の位置を確認することができる。
【００４８】
次に、修学旅行中の生徒の保護者が家庭内のパソコン（図１に示す保護者端末６）で自分の子供（生徒）の現在位置を確認する場合の動作について説明する。Ｗｅｂサーバー５のホームページには上述したように、各学校（Ａ学校、Ｂ学校、Ｃ学校・・・Ｎ学校）に対応したサブフォルダ（図１０参照）が設けられていて、このサブフォルダにＨＴＭＬファイルとこのＨＴＭＬファイルにリンクさせた画像ファイルとが保存してある。
【００４９】
そして、各学校の保護者には、自己の学校に対応したＷｅｂサーバー５のホームページアドレスを予め知らせておき、例えば、Ａ学校の保護者端末６からＡ学校に対応したホームページアドレスを入力してアクセスすると、図１０に示すＡ学校専用のサブフォルダにアクセスすることができる。
図１２はかかる場合の自己の保護者端末６（自己の家庭内のパソコン）の画面の表示状態を示している。以後は通常のブラウザソフトによる閲覧操作を行なうことで、自分の子供の現在位置を容易に確認することができる。
【００５０】
図１２において、保護者端末６の画面の中央には「最新位置情報」と記載したボタン４１が設けられており、保護者がこのボタン４１をマウスポインター４２でクリックすると、図１３に示すような画面に切り替わる。図１３では、最終（最新）のデータを更新した時刻が表示され（例えば、ＰＭ１：３０）、また、各班（図示例では、１班から１０班まで）と、その班が持っているＰＨＳの電話番号（例えば、０７０１２３４０００１）と、生徒を模した図形のアイコン等がテーブル型式で表示されている。
【００５１】
保護者は、自分の子供が属している班は予め分かっているので、例えば、自分の子供が１班であるとすると、「１班」の左方に表示されているアイコンをマウスポインター４２でクリックする。このアイコンをクリックすると図１４に示すような画面に切り替わり、生徒を模したアイコンと時刻が表示される。これにより、１３：２５の時刻に１班が銀閣寺の近くにいることを確認することができる。
この図１４に示す画面（画像ファイル）は、図６に示す状態において画像ファイルを作成した時（時刻１３：２５）の位置情報である。
【００５２】
また、他の保護者であって、生徒が２班の場合には、他の保護者端末６から上記と同様にしてＡ学校のサブフォルダにアクセスして図１３の画面において、「２班」の左方のアイコンをクリックすると、図１５に示すような画面に切り替わり、アイコンと時刻が表示され、２班が１３：２５に御所内にいたことが確認できる。
この図１５に示す画面（画像ファイル）も、図７に示す状態において画像ファイルを作成した時（時刻１３：２５）の位置情報である。
【００５３】
なお、図１３に示すテーブルの最上段にある「全体」と表示されている左方のアイコンをクリックすると、図５に示すような各ＰＨＳの位置と時刻を記載した画面を表示させることができる。
【００５４】
図１６（ａ）は図１２に対応した説明図であり、この時のホームページアドレスが、例えば、www//k-kou.co.jp./pos-server/kou/main.html  である。また、１班のアドレスが図１６（ｂ）に示すアドレスである。
【００５５】
このようにして、家庭にいる修学旅行生の保護者は、家庭内にある一般的なパソコン（保護者端末６）でもって、所定のＷｅｂサーバー５のサブフォルダにアクセスして、保護者端末６内にインストールされている一般的なブラウザソフトにて自分の子供の位置の最新情報を容易に確認する（知る）ことができる。
また、アクセスする時間により、常に最新の子供の位置情報をリアルタイム的に知ることができる。
なお、最近のパソコンの普及率からインターネット接続環境が満たされており、ごく普通の人であれば、インターネットに接続して任意のホームページにアクセスしてホームページの閲覧操作はできるようになっている。
【００５６】
また、Ｂ学校の保護者も同様にＷｅｂサーバー５のホームページをアクセスすると、Ｂ学校に対応したサブフォルダに直接アクセスして、上記と同様に自分の子供の位置を確認することができる。
保護者のみでなく、地元の学校に待機している学校内の教師も学校のパソコンで上記と同様にして生徒の位置をリアルタイム的に確認することができる。
【００５７】
さらに、ホテルで待機している教師がパソコン（教師端末７）にて上記と同様の操作を行なうことで、各班の位置と時刻を容易にリアルタイム的に確認することができる。
また、街中を出歩く教師も、携帯情報端末８にて上記と同様に各班の位置と時刻を容易にリアルタイム的に確認することができる。
【００５８】
このように、修学旅行生（ＰＨＳ）の位置を画面に表示させて確認する場合、予めインストールされている市販の一般的なウェブブラウザーを備えたパソコンでウェブサーバー５のサブフォルダに直接アクセスして、修学旅行生の現在位置を画像ファイルにて容易に確認することができる。特に、修学旅行中の修学旅行生とは遠く離れている保護者も家庭内にある一般のパソコンでも、生徒（子供）の位置を容易に確認することができる。
【００５９】
また、従来では修学旅行生（ＰＨＳ）の位置情報を取得するのに、特殊な専用のソフトウエアを用いていたため、該ソフトウエアの操作に不慣れな上に検索が面倒であったのが、普通のパソコン（保護者端末６、教師端末７、携帯情報端末８など）さえあれば、ブラウザソフトの慣れている人、つまりホテル等で待機している教師や保護者等は不慣れな操作を要求せずに、通常のウェブブラウザーの簡単な操作にて修学旅行生の現在位置を簡易に確認できる。
特に、保護者の場合には、修学旅行中の修学旅行生とは遠く離れていても、いちいち学校に問い合わせをすることなく、自分で保護者端末６にて生徒（自分の子供）の位置を容易に確認することができる。
【００６０】
さらに、持ち運びが可能なパソコンの携帯情報端末８にて街中を出歩く教師もウェブサーバー５のサブフォルダに直接アクセスすることで、修学旅行生の現在位置の確認が容易にできるものである。
【図面の簡単な説明】
【００６１】
【図１】本発明の実施の形態における位置情報表示システムの概略ブロック構成図である。
【図２】本発明の実施の形態における管理サーバーのブロック図である。
【図３】本発明の実施の形態における位置情報サーバーから位置情報をダウンロードして画像ファイルを作成する場合のフローチャートである。
【図４】本発明の実施の形態における作成した画像ファイルをＷｅｂサーバーへ転送する場合のフローチャートである。
【図５】本発明の実施の形態における各ＰＨＳの位置を表示させた場合の図である。
【図６】本発明の実施の形態における修学旅行生の１班の画像ファイルを作成する場合の図である。
【図７】本発明の実施の形態における修学旅行生の２班の画像ファイルを作成する場合の図である。
【図８】本発明の実施の形態における管理サーバーの記憶部のメモリ構成を示す図である。
【図９】本発明の実施の形態におけるＷｅｂサーバーの概略ブロック構成図である。
【図１０】本発明の実施の形態におけるＷｅｂサーバーの各学校に対応させたフォルダの階層構造を示す図である。
【図１１】本発明の実施の形態におけるＷｅｂサーバーのサブフォルダのメモリ構成を示す図である。
【図１２】本発明の実施の形態における保護者端末の画面の表示を示す図である。
【図１３】本発明の実施の形態における保護者端末の画面の表示を示す図である。
【図１４】本発明の実施の形態における保護者端末の画面の表示を示す図である。
【図１５】本発明の実施の形態における保護者端末の画面の表示を示す図である。
【図１６】本発明の実施の形態における修学旅行生の位置を知るためにアクセスする場合の説明図である。
【図１７】位置情報検索システムの概略システム図である。
【符号の説明】
【００６２】
１  管理サーバー
２  位置情報サーバー
３  電話回線
４  ネットワーク
５  ウェブサーバー
６  保護者端末
７  教師端末
８  携帯情報端末
１３  表示位置座標変換処理部
１４  画面表示制御部
１６  画像ファイル作成部
１８  ファイル転送部
２５  記憶部
３３  記憶装置
【図１】
2005315929.tif 000003
【図２】
2005315929.tif 000004
【図３】
2005315929.tif 000005
【図４】
2005315929.tif 000006
【図５】
2005315929.tif 000007
【図６】
2005315929.tif 000008
【図７】
2005315929.tif 000009
【図８】
2005315929.tif 000010
【図９】
2005315929.tif 000011
【図１０】
2005315929.tif 000012
【図１１】
2005315929.tif 000013
【図１２】
2005315929.tif 000014
【図１３】
2005315929.tif 000015
【図１４】
2005315929.tif 000016
【図１５】
2005315929.tif 000017
【図１６】
2005315929.tif 000018
【図１７】
2005315929.tif 000019